(57)【要約】      （修正有）【課題】外側フレームと、内側フレームとを備えたフレームに形成されたゴミ箱に取り付けられ、空間が外部に露出するようにフレームを基準に起立するか、回動して所定空間が外部と断絶されるように倒伏するゴミ箱開閉装置を提供する。【解決手段】ゴミ箱開閉装置は、外側フレームＰ１に固定された第１固定回動軸Ｓ１を基準に回動して、第１開口Ｈ１を開閉する第１開閉部１０と、第２固定回動軸Ｓ２を基準に回動して、第１開口の大きさよりも小さい第２開口Ｈ２を開閉する第２開閉部２０と、第１開閉部と第２開閉部を連結し、第１開閉部が第１固定回動軸を基準に回動する場合、第１開閉部と連動して第２開閉部を第２固定回動軸を基準に回動するようにする連結部３０と、を含み、第１固定回動軸を基準に第１開閉部が回動する場合、連結部を介して連結された第２開閉部が第２固定回動軸を中心に同時に回動する。【選択図】図３
2019127393.tif 000002
【特許請求の範囲】
【請求項１】
外側フレームと、前記外側フレームの内側に位置したまま所定空間を提供する内側フレームとを備えたフレームに形成されたゴミ箱に取り付けられて、前記所定空間が外部に露出するように前記フレームを基準に起立するか、回動して前記所定空間が外部と断絶されるように前記フレームを基準に倒伏するゴミ箱開閉装置において、
前記外側フレームに固定された第１固定回動軸を基準に回動して、前記外側フレームによって形成された第１開口を開閉する第１開閉部と、
前記内側フレームに固定された第２固定回動軸を基準に回動して、前記内側フレームによって形成され、前記第１開口の大きさよりも小さい第２開口を開閉する第２開閉部と、
前記第１開閉部と前記第２開閉部を連結し、前記第１開閉部が前記第１固定回動軸を基準に回動する場合、前記第１開閉部と連動して前記第２開閉部を前記第２固定回動軸を基準に回動するようにする連結部と、
を含み、
前記第１固定回動軸を基準に前記第１開閉部が回動する場合、前記連結部を介して連結された前記第２開閉部が前記第２固定回動軸を中心に同時に回動する、ゴミ箱開閉装置。
【請求項２】
前記連結部は、
前記第１開閉部及び前記第２開閉部のいずれかに取り付けられるガイド部と、
前記第１開閉部及び前記第２開閉部の残りの一つに取り付けられ、前記ガイド部に沿って摺動する摺動部とを備える、請求項１に記載のゴミ箱開閉装置。
【請求項３】
前記ガイド部は前記第１開閉部に備えられ、
前記摺動部は前記第２開閉部に備えられる、請求項２に記載のゴミ箱開閉装置。
【請求項４】
前記ガイド部は、
前記第１開閉部の底面に固定されて前記摺動部の少なくとも一部を収容したまま、前記摺動部が移動する経路を規定する経路部と、
前記経路部のうち前記第１開閉部の他側端部に備えられ、前記経路部に収容された前記摺動部が前記経路部から離脱することを防止する離脱防止部とを備える、請求項３に記載のゴミ箱開閉装置。
【請求項５】
前記離脱防止部は前記経路部に比べて大きい厚さで形成される、請求項４に記載のゴミ箱開閉装置。
【請求項６】
しまりばめ方式で前記摺動部を前記ガイド部に結合及び分離が可能となるように、前記離脱防止部は円形の断面を有するように形成される、請求項５に記載のゴミ箱開閉装置。
【請求項７】
前記ガイド部は、前記経路部の長さ方向端部側に、前記経路部に比べて大きい厚さで形成されて、前記第１開閉部の起立時前記摺動部の最大移動範囲を制限する移動制限部をさらに含む、請求項５に記載のゴミ箱開閉装置。
【請求項８】
前記離脱防止部には、
前記移動制限部に隣接した位置に、厚さが減少するように形成されて、前記摺動部の結合及び分離を容易にする分離誘導部がさらに形成される、請求項７に記載のゴミ箱開閉装置。
【請求項９】
前記摺動部は、
前記第２開閉部の上部面に突出形成される固定部と、
前記固定部から延長され、前記経路部に収容されたまま前記経路部に沿って摺動する接触部とを備える、請求項４に記載のゴミ箱開閉装置。
【請求項１０】
前記固定部は一対に備えられて、前記第２開閉部から一定間隔離隔した状態で突出し、
前記接触部は、前記一対として固定部から互いに向かって突出する、請求項９に記載のゴミ箱開閉装置。
【請求項１１】
前記第２固定回動軸を基準に回動する前記第２開閉部の回動と、前記ガイド部に沿って摺動する前記摺動部の位置移動は、同時に具現される、請求項３に記載のゴミ箱開閉装置。
【請求項１２】
前記第１開閉部と前記第２開閉部が前記連結部によって同時に回動する場合、前記第１開閉部と前記フレームが形成する第１角度と、前記第２開閉部と前記フレームが形成する第２角度は異なる、請求項１に記載のゴミ箱開閉装置。
【請求項１３】
前記第１開閉部と前記第２開閉部が前記連結部によって同時に回動する場合、前記第１開閉部と前記フレームが形成する角の変化率は、前記第２開閉部と前記フレームが形成する角の変化率と異なる、請求項１に記載のゴミ箱開閉装置。
【請求項１４】
前記第１開閉部が前記第１開口を閉鎖する場合、前記第２開閉部は前記第１開閉部によって隠匿される、請求項１に記載のゴミ箱開閉装置。
【発明の詳細な説明】
【技術分野】
【０００１】
本発明は、ゴミ箱開閉装置に関し、詳細にはゴミ箱の開口を二重に閉鎖するゴミ箱開閉装置に関する。
【背景技術】
【０００２】
一般にトイレや洗面場、その他の公共の場所などのような場所には、清潔と衛生上の目的でゴミ箱を備えることになる。この目的で備えられたゴミ箱は、ほとんどふたと筒で構成されるか、ふたのない単純なゴミ箱で構成されたものが広く知られている。
【０００３】
すなわち、ふたと筒で構成された一般的なゴミ箱公開実用新案（２０−２０１０−００１２５１２）は、ふたに回転方式を利用してゴミを捨てるときふたの一側面を押しながらゴミを捨てることができるように形成されたものと、ふたに取っ手を形成して、ゴミを捨てるとき開閉できるように形成されたものが一般的と言え、時にはふたのないゴミ箱は、単にゴミを捨てることができるようにしたものが一般的な形状と言える。
【０００４】
しかし、上記したようにふたと筒で形成されたゴミ箱のふたは、トイレや洗面場などのような場所で大便などのような汚物や唾と痰などのような汚物が付いたティッシュを捨てた後、汚物などで発生する各種悪臭がふたを介して外部に流出してユーザーに不快感を与えると同時に各種害虫にさらされて美観を損ねる問題が発生した。
【０００５】
すなわち、ゴミ箱の収容空間と外部が単一のふたで形成されて、ふたがゴミ箱のフレームに正しく組み立てられなかったり、ふたがフレームに正しく位置していない場合だけではなく、正しく組み立てられたり、位置したとしても収容空間に収容された各種汚物などで発生する各種悪臭は、単一のふたを介して簡単に外部に排出されてユーザーに不快感を与えるのが常であった。
【発明の概要】
【発明が解決しようとする課題】
【０００６】
本発明の目的は、ゴミ箱の開口が外部から二重に遮断されて、ゴミなどから排出される悪臭などの外部排出を最小化するゴミ箱開閉装置を提供するものである。
【課題を解決するための手段】
【０００７】
外側フレームと、前記外側フレームの内側に位置したまま所定空間を提供する内側フレームとを備えたフレームに形成されたゴミ箱に取り付けられて、前記所定空間が外部に露出するように前記フレームを基準に起立するか、回動して前記所定空間が外部と断絶されるように前記フレームを基準に倒伏するゴミ箱開閉装置において、本発明に係るゴミ箱開閉装置は、前記外側フレームに固定された第１固定回動軸を基準に回動して、前記外側フレームによって形成された第１開口を開閉する第１開閉部と、前記内側フレームに固定された第２固定回動軸を基準に回動して、前記内側フレームによって形成され、前記第１開口の大きさよりも小さい第２開口を開閉する第２開閉部と、前記第１開閉部と前記第２開閉部を連結し、前記第１開閉部が前記第１固定回動軸を基準に回動する場合、前記第１開閉部と連動して前記第２開閉部を前記第２固定回動軸を基準に回動するようにする連結部と、を含み、前記第１固定回動軸を基準に前記第１開閉部が回動する場合、前記連結部を介して連結された前記第２開閉部が前記第２固定回動軸を中心に同時に回動する。
【０００８】
また、前記連結部は、前記第１開閉部及び前記第２開閉部のいずれかに取り付けられるガイド部と、前記第１開閉部及び前記第２開閉部の残りの一つに取り付けられ、前記ガイド部に沿って摺動する摺動部とを備えることができる。
【０００９】
また、前記ガイド部は前記第１開閉部に備えられ、前記摺動部は前記第２開閉部に備えられる。
【００１０】
また、前記ガイド部は、前記第１開閉部の底面に固定されて前記摺動部の少なくとも一部を収容したまま、前記摺動部が移動する経路を規定する経路部と、前記経路部のうち前記第１開閉部の他側端部に備えられ、前記経路部に収容された前記摺動部が前記経路部から離脱することを防止する離脱防止部とを備えることができる。
【００１１】
また、前記離脱防止部は前記経路部に比べて大きい厚さで形成することができる。
【００１２】
また、しまりばめ方式で前記摺動部を前記ガイド部に結合及び分離が可能となるように、前記離脱防止部は円形の断面を有するように形成することができる。
【００１３】
また、前記ガイド部は、前記経路部の長さ方向端部側に、前記経路部に比べて大きい厚さで形成されて、前記第１開閉部の起立時前記摺動部の最大移動範囲を制限する移動制限部をさらに含むことができる。
【００１４】
また、前記離脱防止部には、前記移動制限部に隣接した位置に、厚さが減少するように形成されて、前記摺動部の結合及び分離を容易にする分離誘導部をさらに形成することができる。
【００１５】
また、前記摺動部は、前記第２開閉部の上部面に突出形成される固定部と、前記固定部から延長され、前記経路部に収容されたまま前記経路部に沿って摺動する接触部とを備えることができる。
【００１６】
また、前記固定部は一対に備えられて、前記第２開閉部から一定間隔離隔した状態で突出し、前記接触部は、前記一対として固定部から互いに向かって突出する。
【００１７】
また、前記第２固定回動軸を基準に回動する前記第２開閉部の回動と、前記ガイド部に沿って摺動する前記摺動部の位置移動は、同時に具現される。
【００１８】
また、前記第１開閉部と前記第２開閉部が前記連結部によって同時に回動する場合、前記第１開閉部と前記フレームが形成する第１角度と、前記第２開閉部と前記フレームが形成する第２角度は異なる。
【００１９】
また、前記第１開閉部と前記第２開閉部が前記連結部によって同時に回動する場合、前記第１開閉部と前記フレームが形成する角の変化率は、前記第２開閉部と前記フレームが形成する角の変化率と異なる。
【００２０】
また、前記第１開閉部が前記第１開口を閉鎖する場合、前記第２開閉部は前記第１開閉部によって隠匿される。
【発明の効果】
【００２１】
本発明によれば、ゴミ箱の開口が外部から二重に遮断されて、ゴミなどから排出される悪臭などの外部排出を最小化することができる。
【００２２】
また、ゴミ箱の収容空間に収容された汚物などで発生する各種の悪臭がふたを介して外部に流出しないようして、前記汚物などによる害虫の繁殖を防止して衛生的である。
【００２３】
また、第１開閉部と第２開閉部の分離が容易で、清潔を維持するための作業を行うのに有利である。
【図面の簡単な説明】
【００２４】
【図１】本発明の一実施例に係るゴミ箱開閉装置が取り付けられたゴミ箱を示した概略斜視図である。
【図２】本発明の一実施例に係るゴミ箱開閉装置を示した概略斜視図である。
【図３】本発明の一実施例に係るゴミ箱開閉装置を分解した分解斜視図である。
【図４】本発明の一実施例に係るゴミ箱の第１開閉部及び連結部を説明するための概略図である。
【図５】一実施例に係る第２開閉部及び連結部（摺動部）を説明するための概略図である。
【図６】本発明の一実施例に係るゴミ箱開閉装置の作動を説明するための概略図である。
【図７】本発明の一実施例に係るゴミ箱開閉装置の作動を説明するための概略図である。
【図８】本発明の一実施例に係るゴミ箱開閉装置の作動を説明するための概略図である。
【図９】他の実施例に係るゴミ箱開閉装置を示す概略図である。
【発明を実施するための形態】
【００２５】
以下、添付された図面を参照して本発明の実施例を説明する。特別な定義や言及がない場合に、本説明に使用する方向を表示する用語は、図面に表示された状態を基準とする。また、各実施例を通して同一の図面符号は同一の部材を指す。一方、図面上で表示される各構成は、説明の便宜のためにその厚さや寸法が誇張されることがあり、実際に当該寸法や構成間の比率で構成されなければならないことを意味するわけではない。
【００２６】
図１及び図２を参照して一実施例に係るゴミ箱及びゴミ箱開閉装置を説明する。図１は本発明の一実施例に係るゴミ箱開閉装置が取り付けられたゴミ箱を示した概略斜視図である。
【００２７】
図１を参照すると、本発明の一実施例に係るゴミ箱開閉装置１（以下、開閉装置１）は、フレームＰによって所定空間が形成されたゴミ箱に取り付けられる。開閉装置１は、所定空間が外部に露出するように、フレームＰを基準に起立するか、所定空間が外部と断絶されるようにフレームＰを基準に倒伏する。ここで、開閉装置１は、一種のふたとして機能する。
【００２８】
フレームＰは、外側フレームＰ１と内側フレームＰ２で構成される。外側フレームＰ１はゴミ箱の外観を形成し、内側フレームＰ２は外側フレームＰ１の内側に収容されて所定空間Ｑを提供し、所定空間Ｑには、ユーザーが収容しようとする特定の物、一例として、ティッシュまたはゴミなどが収容される。
【００２９】
開閉装置１は、ユーザーの外力によって開閉され、別途の開閉補助装置によって開閉されるか、ユーザーが直接開閉装置１を回動させて具現される。このとき、開閉装置１の回動は、公知された多様な技術が適用される。
【００３０】
本発明の開閉装置１によって閉鎖された状態の所定空間Ｑは、一次的に第２開閉部２０によって閉鎖され、２次的に第２開閉部２０をカバーする第１開閉部１０によって隠匿される。これにより、所定空間Ｑに収容されたゴミなどは、第２開閉部２０及び第１開閉部１０によって遮断された状態となるので、ゴミなどから排出される悪臭などは、第２開閉部２０及び第１開閉部１０によって二重に遮断されて、外部への排出を最小化することができる。
【００３１】
すなわち、本発明の開閉装置１は、所定空間Ｑに収容された物質と外部との断絶効果を向上させるための二重ふたである。
【００３２】
図２ないし図５を参照して一実施例に係るゴミ箱開閉装置を説明する。図２は本発明の一実施例に係るゴミ箱開閉装置を示した概略斜視図であり、図３は本発明の一実施例に係るゴミ箱開閉装置を分解した分解斜視図である。また、図４は本発明の一実施例に係るゴミ箱の第１開閉部及び連結部を説明するための概略図であり、図５は一実施例に係る第２開閉部及び連結部（摺動部）を説明するための概略図である。
【００３３】
開閉装置１は、第１開閉部１０、第２開閉部２０、及び連結部３０を含む。
【００３４】
第１開閉部１０は図３に示されたように、外側フレームＰ１に固定された第１固定回動軸Ｓ１を基準に回動して、外側フレームＰ１によって形成された第１開口Ｈ１を開閉する。外側フレームＰ１は、円柱、角柱、または円と角が混合された柱に形成することができ、底面と当接する面は密閉されており、上側面は開放されて第１開口Ｈ１を形成した立体構造物である。第１開閉部１０は、第１固定回動軸Ｓ１に連結された状態で回動して、第１開口Ｈ１が外部に露出しないように閉鎖したり、第１開口Ｈ１が外部に露出するように開放させることができる。
【００３５】
第２開閉部２０は、内側フレームＰ２に固定された第２固定回動軸Ｓ２を基準に回動して、内側フレームＰ２によって形成された第２開口Ｈ２を開閉する。ここで、第２開口Ｈ２は第１開口Ｈ１よりも小さい。内側フレームＰ２は、円柱、角柱、または円と角が混合された柱に形成することができ、外側フレームＰ１の内側に位置したまま所定空間Ｑを形成する。内側フレームＰ２の形状は、外側フレームＰ１と同一でなくてもよい。
【００３６】
また、第２開閉部２０は、第２固定回動軸Ｓ２に連結された状態で回動して、第２開口Ｈ２が外部に露出しないように閉鎖したり、第２開口Ｈ２が外部に露出するように開放させることができる。
【００３７】
連結部３０は、第１開閉部１０と第２開閉部２０を連結し、第１開閉部１０が第１固定回動軸Ｓ１を基準に回動する場合、第１開閉部１０と連動して第２開閉部２０を第２固定回動軸Ｓ２を基準に回動するようにする。ここで、第２固定回動軸Ｓ２を基準に回動する第２開閉部２０の回動は、第１固定回動軸Ｓ１を基準に回動する第１開閉部１０の回動と同時に具現される。
【００３８】
すなわち、第２開閉部２０は、連結部３０を介して第１開閉部１０に連結されているので、第１開閉部１０によって第１開口Ｈ１が閉鎖される場合、第１開閉部１０と一緒に回動することになる。第１開口Ｈ１を閉鎖または開放するための外力は、第１開閉部１０に印加され、印加された外力によって回動する第１開閉部１０により、第２開閉部２０は閉鎖または開放される。
【００３９】
また、第１固定回動軸Ｓ１と第２固定回動軸Ｓ２は、離隔して配置されると共に平行に配置されて、第１開閉部１０と第２開閉部２０が同時に回動する場合、両者の回動が互いに干渉しないようにする。
【００４０】
連結部３０は図４に示されたように、第１開閉部１０に取り付けられるガイド部３２及び図５に示されたように、第２開閉部２０に取り付けられてガイド部３２に沿って摺動する摺動部３４を備える。
【００４１】
具体的にガイド部３２は、経路部３２３及び離脱防止部３２５を備える。経路部３２３は、第１開閉部１０の一側面、一般的には底面に取り付けられる。このとき第１開閉部１０の一側面は、第１開閉部１０が第１開口Ｈ１を閉鎖する場合、第１開口Ｈ１と対向する面である。
【００４２】
経路部３２３は第１開閉部１０に固定され、摺動部３４の少なくとも一部を収容したまま、摺動部３４が移動する経路を規定する。すなわち、摺動部３４は、経路部３２３によって規定された限られた経路を摺動する方式で移動する。経路部３２３は、第１開閉部１０の一側端から第１開閉部１０の中心に向かって延長された線形の構造物である。
【００４３】
離脱防止部３２５は経路部３２３の端部、すなわち、第１開閉部１０の他側端部から延長されて、経路部３２３に収容された摺動部３４が経路部３２３から離脱することを防止する。摺動部３４は、経路部３２３及び離脱防止部３２５によって規定された空間に収容されたまま、経路部３２３に沿って摺動する。
【００４４】
摺動部３４は、第２開閉部２０の一側面に取り付けられる固定部３４１及び固定部３４１から連結され、経路部３２３に収容されたまま経路部３２３に沿って摺動する接触部３４３を備える。
【００４５】
固定部３４１は、第２開閉部２０の一側面に連結される。このとき、第２開閉部２０の一側面とは第２開閉部２０が第２開口Ｈ２を閉鎖する場合、第２開口Ｈ２と対向する面の反対面、つまり、第１開閉部１０と対向する面である。
【００４６】
以下、図６ないし図８を参照して、上述した各構成要素によって作動する開閉装置１について詳細に説明する。図６ないし８は本発明の一実施例に係るゴミ箱開閉装置の作動を説明するための概略図である。
【００４７】
第１開閉部１０が第１開口Ｈ１を閉鎖した状態では、第２開閉部２０は第１開閉部１０とフレームＰによって隠匿された状態となる。もちろん、第２開口Ｈ２も第１開閉部１０によって隠匿された状態となる。ここで、第２開閉部２０は、第１開閉部１０と外側フレームＰ１の内側空間で第２開口Ｈ２を閉鎖した状態で配置されることになる。
【００４８】
ここで、第１開閉部１０は、外側フレームＰ１と接触した状態となり、第２開閉部２０は内側フレームＰ２と接触した状態となる。すなわち、開閉装置１によって閉鎖された状態の内部空間は、一次的に第２開閉部２０によって閉鎖され、２次的に第２開閉部２０を閉鎖する第１開閉部１０によって隠匿される。これにより、内部空間に収容されたゴミなどは、第２開閉部２０及び第１開閉部１０によって遮断された状態となるので、ゴミなどから排出される悪臭などは、二重遮断構造により外部への排出を最小化することができる。
【００４９】
そして、図７及び図８は外力によって第１開閉部１０が外側フレームＰ１から離隔して第１開口Ｈ１が外部に露出する過程の一状態を示した図である。
【００５０】
第１開閉部１０が第１固定回動軸Ｓ１を基準に回動して外側フレームＰ１と離隔し始めると、第１開口Ｈ１が外部に露出し始め、このとき、経路部３２３に収容された第２開閉部２０の接触部３４３は、経路部３２３の一側から他側方向に位置移動し始める。
【００５１】
ここで、第２開閉部２０は、第１開閉部１０よりも小さいサイズで形成されるので、もし第２開閉部２０が第１開閉部１０の特定位置に固定されれば、第１開閉部１０と第２開閉部２０が同時に回動中に一定角度において第２開閉部２０が第１開閉部１０の回動を干渉または制限して、第１開閉部１０の回動を具現できないようする可能性がある。したがって、本発明の開閉装置１は、第２開閉部２０と第１開閉部１０の連結部３０の分が移動するようにして、第２開閉部２０が第１開閉部１０の回動を干渉しないようにする。
【００５２】
具体的に、第１開閉部１０が第１固定回動軸Ｓ１を基準に回動する過程で、第２開閉部２０の接触部３４３は、経路部３２３の一側から他側方向に位置移動する。ここで、一側から他側方向とは経路部３２３の経路のうち、第１開閉部１０の中心に向けた方向である。これにより、第１開閉部１０と第２開閉部２０の連結部３０分は、第１開閉部１０の中心方向に移動するので、第１開閉部１０の回動は第２開閉部２０によって干渉または制限されない。
【００５３】
このとき、第２開閉部２０は、第２固定回動軸Ｓ２を基準に回動して内側フレームＰ２と離隔し、第２開閉部２０によって閉鎖された所定空間Ｑは外部に露出することになる。
【００５４】
図８に示されたように、第１開閉部１０のフレームＰに対する起立が完了すれば、第２開閉部２０の内側フレームＰ２に対する起立も完了する。
【００５５】
このとき、第２開閉部２０の接触部３４３は、経路部３２３によって規定された移動経路に沿って摺動が完了した状態である。すなわち、接触部３４３が経路部３２３の他側端まで摺動してこれ以上位置移動できない状態になると、第２開閉部２０及び第１開閉部１０の回動は完了する。
【００５６】
以上、第１開閉部１０の外側フレームＰ１に対する起立過程を順に説明し、第１開閉部１０の外側フレームＰ１に対する倒伏過程はこれの逆順に行われてもよい。一方、第１開閉部と第２開閉部の中心軸からの長さを調節することにより、上述した摺動部とガイド部の位置を相互変えることが可能である。
【００５７】
第２固定回動軸Ｓ２を基準に回動する第２開閉部２０の回動とガイド部３２、つまり経路部３２３に沿って摺動する摺動部３４のうち接触部３４３の位置移動は、同時に具現される。
【００５８】
また、第１開閉部１０と第２開閉部２０が連結部３０によって同時に回動する場合、第１開閉部１０と外側フレームＰ１が形成する第１角度と、第２開閉部２０と内側フレームＰ２が形成する第２角度は異なり、第１角度は第２角度よりも小さくてもよい。
【００５９】
第１開閉部１０と第２開閉部２０が連結部３０によって同時に回動する場合、第１開閉部１０と外側フレームＰ１が形成する角の変化率は、第２開閉部２０と内側フレームＰ２が形成する角の変化率と異なり、第１開閉部１０と外側フレームＰ１が形成する角の変化率が、第２開閉部２０と内側フレームＰ２が形成する角の変化率よりも小さくてもよい。
【００６０】
図９を参照して他の実施例に係るゴミ箱開閉装置を説明する。図９は他の実施例に係るゴミ箱開閉装置を示す概略図である。
【００６１】
図９に示されたようにガイド部３２は、経路部３２３の長さ方向端部側に経路部３２３に比べて大きい厚さで形成された移動制限部３２７が形成される。このとき第１開閉部の起立時摺動部のうち接触部３４３は、移動制限部３２７側に摺動方式で移動することになる。このとき移動制限部３２７は、接触部３４３の最大移動範囲を制限することになる。
【００６２】
このように接触部３４３が移動制限部３２７側に移動した状態で摺動部を容易にガイド部３２から分離させることができるように分離誘導部３２５１を形成することができる。
【００６３】
分離誘導部３２５１は、移動制限部３２７に隣接した位置に形成され、離脱防止部３２５に比べて小さい厚さで形成されて、摺動部のうち接触部３４３が離脱できる一種の経路を形成することができる。すなわち、分離誘導部３２５１は、接触部３４３がしまりばめ方法で移動できる経路を提供することで、摺動部がガイド部３２と容易に結合または分離されるようにする。
【００６４】
上述した離脱防止部３２５及び接触部３４３の形状を丸く形成することにより、別途の分離誘導部３２５１を形成していなくても少しの力をさらに加えて相互分離が可能となるようにすることもでき、上述したように分離誘導部３２５１を形成して分離がより容易となるようすることも可能である。
【００６５】
以上、本発明の好ましい実施例について説明したが、本発明の技術的思想が上述した好ましい実施例に限定されるものではなく、特許請求の範囲に具体化された本発明の技術的思想を逸脱しない範疇で多様に具現される。
【符号の説明】
【００６６】
Ｔ：    ゴミ箱
Ｐ：    フレーム
Ｐ１：  外側フレーム
Ｐ２：  内側フレーム
Ｈ１：  第１開口
Ｈ２：  第２開口
１：    ゴミ箱開閉装置
Ｓ１：  第１固定回動軸
Ｓ２：  第２固定回動軸
１０：  第１開閉部
２０：  第２開閉部
３０：  連結部
【図１】
2019127393.tif 000003
【図２】
2019127393.tif 000004
【図３】
2019127393.tif 000005
【図４】
2019127393.tif 000006
【図５】
2019127393.tif 000007
【図６】
2019127393.tif 000008
【図７】
2019127393.tif 000009
【図８】
2019127393.tif 000010
【図９】
2019127393.tif 000011
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
外側フレームと、前記外側フレームの内側に位置したまま所定空間を提供する内側フレームとを備えたフレームに形成されたゴミ箱に取り付けられて、前記所定空間が外部に露出するように前記フレームを基準に起立するか、回動して前記所定空間が外部と断絶されるように前記フレームを基準に倒伏するゴミ箱開閉装置において、
前記外側フレームに固定された第１固定回動軸を基準に回動して、前記外側フレームによって形成された第１開口を開閉する第１開閉部と、
前記内側フレームに固定された第２固定回動軸を基準に回動して、前記内側フレームによって形成され、前記第１開口の大きさよりも小さい第２開口を開閉する第２開閉部と、
前記第１開閉部と前記第２開閉部を連結し、前記第１開閉部が前記第１固定回動軸を基準に回動する場合、前記第１開閉部と連動して前記第２開閉部を前記第２固定回動軸を基準に回動するようにする連結部と、
を含み、
前記第１固定回動軸を基準に前記第１開閉部が回動する場合、前記連結部を介して連結された前記第２開閉部が前記第２固定回動軸を中心に同時に回動し、
前記連結部は、
前記第１開閉部及び前記第２開閉部のいずれかに取り付けられるガイド部と、
前記第１開閉部及び前記第２開閉部の残りの一つに取り付けられ、前記ガイド部に沿って摺動する摺動部と、を備え、
前記ガイド部は、前記第１開閉部に備えられ、
前記摺動部は、前記第２開閉部に備えられており、
前記ガイド部は、
前記第１開閉部の底面に固定されて前記摺動部の少なくとも一部を収容したまま、前記摺動部が移動する経路を規定する経路部と、
前記経路部のうち前記第１開閉部の他側端部に備えられ、前記経路部に収容された前記摺動部が前記経路部から離脱することを防止する離脱防止部と、を備える、
ゴミ箱開閉装置。
【請求項２】
前記離脱防止部は前記経路部に比べて大きい厚さで形成される、請求項１に記載のゴミ箱開閉装置。
【請求項３】
しまりばめ方式で前記摺動部を前記ガイド部に結合及び分離が可能となるように、前記離脱防止部は円形の断面を有するように形成される、請求項２に記載のゴミ箱開閉装置。
【請求項４】
前記ガイド部は、前記経路部の長さ方向端部側に、前記経路部に比べて大きい厚さで形成されて、前記第１開閉部の起立時前記摺動部の最大移動範囲を制限する移動制限部をさらに含む、請求項２に記載のゴミ箱開閉装置。
【請求項５】
前記離脱防止部には、
前記移動制限部に隣接した位置に、厚さが減少するように形成されて、前記摺動部の結合及び分離を容易にする分離誘導部がさらに形成される、請求項４に記載のゴミ箱開閉装置。
【請求項６】
前記摺動部は、
前記第２開閉部の上部面に突出形成される固定部と、
前記固定部から延長され、前記経路部に収容されたまま前記経路部に沿って摺動する接触部とを備える、請求項１に記載のゴミ箱開閉装置。
【請求項７】
前記固定部は一対に備えられて、前記第２開閉部から一定間隔離隔した状態で突出し、
前記接触部は、前記一対として固定部から互いに向かって突出する、請求項６に記載のゴミ箱開閉装置。
【請求項８】
前記第２固定回動軸を基準に回動する前記第２開閉部の回動と、前記ガイド部に沿って摺動する前記摺動部の位置移動は、同時に具現される、請求項１に記載のゴミ箱開閉装置。
【請求項９】
前記第１開閉部と前記第２開閉部が前記連結部によって同時に回動する場合、前記第１開閉部と前記フレームが形成する第１角度と、前記第２開閉部と前記フレームが形成する第２角度は異なる、請求項１に記載のゴミ箱開閉装置。
【請求項１０】
前記第１開閉部と前記第２開閉部が前記連結部によって同時に回動する場合、前記第１開閉部と前記フレームが形成する角の変化率は、前記第２開閉部と前記フレームが形成する角の変化率と異なる、請求項１に記載のゴミ箱開閉装置。
【請求項１１】
前記第１開閉部が前記第１開口を閉鎖する場合、前記第２開閉部は前記第１開閉部によって隠匿される、請求項１に記載のゴミ箱開閉装置。